(57)【要約】【課題】洗濯機において、衣類の取り忘れ防止用の照明ランプを設ける空間を小さくするとともに、漏電や、液体浸入等による故障のないようにすること。【解決手段】前面に開閉自在に扉７を有する洗濯槽２と、洗濯槽２の内部に回転自在に保持された回転槽３と、照明ランプ８とを備え、照明ランプ８は、発光ダイオード１３が内設された透明な内容器１２と、内容器１２を内設する透明な外容器１１とを有するとともに、回転槽３の奥底部を照らすように扉７の下方周辺の洗濯槽２の前面壁２ａに配設されるようもので、衣類近傍よりの照明にて衣類取り出し忘れの防止を確実にしつつ、２重の防水構造を有する為、万一外容器１１が損傷しても照明ランプ８の機能を維持することができる。【選択図】図３
2006314502.tif 000002
【特許請求の範囲】
【請求項１】
前面に開閉自在に扉を有する洗濯槽と、前記洗濯槽の内部に回転自在に保持された回転槽と、照明ランプとを備え、前記照明ランプは、発光ダイオードが内設された透明な内容器と、前記内容器を内設する透明な外容器とを有するとともに、前記回転槽の奥底部を照らすように前記扉の下方周辺の前記洗濯槽の前面壁に配設されるよう構成した洗濯機。
【請求項２】
照明ランプは、発光ダイオードと電気的に接続されるとともに機械的に固定されたリード線と、可撓性を有しかつ電気絶縁性能を有する材料で構成され内容器の開口部に嵌着される蓋とを有し、前記蓋には、前記リード線が嵌設される溝又は貫通孔を設け、前記発光ダイオードは、前記リード線の外表面と前記内容器の内面とにより固定されるよう構成した請求項１記載の洗濯機。
【請求項３】
照明ランプは、発光ダイオードとリード線とを接続固定するプリント基板を有し、内容器の内部空間寸法は、開口部に近い部分を前記プリント基板の外寸法より大きく、奥部に近い部分の少なくとも一箇所を小さくなるよう構成した請求項２記載の洗濯機。
【請求項４】
照明ランプは、発光ダイオードとリード線とが溶接又は半田付け等により接続固定された接続固定部を有し、蓋には、前記接続固定部の対応位置に有底穴を設け、前記接続固定部が前記有底穴に収納されるよう構成した請求項２記載の洗濯機。
【請求項５】
前面に開閉自在に扉を有する洗濯槽と、前記洗濯槽の内部に回転自在に保持された回転槽と、発光ダイオードが透明容器に絶縁収納された照明ランプとを備え、前記洗濯槽は、前記扉の下方周辺の前面壁部の少なくとも一部分を透明樹脂材で構成し、前記照明ランプは、前記透明樹脂材に対向して配置されるよう構成した洗濯機。
【請求項６】
照明ランプは、発光ダイオードと電気的に接続されるとともに機械的に固定されたリード線と、可撓性を有しかつ電気絶縁性能を有する材料で構成され透明容器の開口部を塞ぐ蓋とを有し、前記蓋には、前記リード線が嵌設される溝又は貫通孔を設け、前記発光ダイオードは、前記リード線の外表面と前記透明容器の内面とにより固定されるよう構成した請求項５記載の洗濯機。
【発明の詳細な説明】
【技術分野】
【０００１】
本発明は衣類の乾燥機能を有した洗濯機に関するものである。
【背景技術】
【０００２】
従来のこの種の洗濯機は、外箱内に支持された水槽と、この水槽内にほぼ水平の軸回りに回転可能に設けられ洗濯物が収容されるドラムと、このドラムを回転駆動する駆動機構と、前記外箱に設けられた洗濯物出入口と、水槽に設けられドラムの前面開口部に対応する接続口と、洗濯物出入口を開閉する扉とで構成し、洗濯行程、あるいは、乾燥行程終了後、洗濯物の取り出し忘れ等を防止するために、洗濯物出入口と水槽に設けた接続口とを繋ぐベローズの上部部分に、ドラム内、特に最下底部を照明する照明ランプが設けられている（例えば、特許文献１参照）。
【特許文献１】特開２０００−１５７７８１号公報
【発明の開示】
【発明が解決しようとする課題】
【０００３】
しかしながら、このような従来の技術により実現される洗濯機は、洗濯槽上部の、透明壁一枚で隔離された位置に照明ランプが設けられる構造が一般的であった。これは従来の洗濯機能専用機の上部が水や洗濯物に触れる可能性が小さいことを前提としていた。しかし、洗濯から乾燥まで全自動で連続使用する機種においては、乾燥過程で熱気を帯びた蒸気に曝され、さらに、横型ドラム式の場合は、洗濯物にも触れる可能性が大きく、従って、万一透明壁が損傷した場合はランプの電極に蒸気が侵入し、あるいは蒸気が結露し、漏電したり、電極が腐食し、電気的接触が悪くなり、照明装置ランプが点灯しなくなるなどの課題があった。
【０００４】
また、洗濯槽上部には一般に洗剤投入機構、注水機構、さらには操作部等が必須であるから、ランプを設ける空間を確保する事は一般に困難であった。その上、洗濯物が取り出し忘れられ易い洗濯槽底部と、照明ランプが設けられた上部との距離は大きく離れがちの為、ランプは十分な明るさが必要となり、現実問題として、白熱電球を選択せざるを得ない。白熱電球を採用すれば、放熱構造、防振構造や、ランプ切れに備えたランプ交換構造が必須であり、より一層大きな空間が必要な為、一部の輸入品を除き、実現には至らなかった。
【０００５】
本発明は、上記従来の課題を解決するもので、照明ランプを設けた洗濯機、特にドラム式洗濯機において、照明ランプを設ける空間を小さくするとともに、漏電や、液体浸入等による故障のない照明ランプを備えた洗濯機を提供することを目的としている。
【課題を解決するための手段】
【０００６】
前記従来の課題を解決するために、本発明の洗濯機は、前面に開閉自在に扉を有する洗濯槽と、洗濯槽の内部に設けられた回転自在に保持された回転槽と、照明ランプとを備え、照明ランプは、発光ダイオードが内設された透明な内容器と、内容器を内設する透明な外容器とを有するとともに、回転槽の奥底部を照らすように扉の下方周辺の洗濯槽の前面壁に配設されるよう構成したものである。
【０００７】
これにより、扉の下方周辺から回転槽奥底部までの距離が短いため、光量が少ない発光ダイオード製の照明ランプであっても、回転槽奥底部まで光が届くので、中が明るく見易く、また、外容器が万一損傷しても、発光ダイオードは内容器に収納、保護されているので洗濯水が達せず、発光ダイオード自体の高い信頼性を損なわない、優れた使い易い洗濯機が実現される。
【発明の効果】
【０００８】
本発明の洗濯機は、扉の下方周辺から回転槽奥底部までの距離が短いため、光量が少ない発光ダイオード製の照明ランプであっても、回転槽奥底部まで光が届くので、中が明るく見易く、また、外容器が万一損傷しても、発光ダイオードは内容器に収納、保護されているので洗濯水が達せず、発光ダイオード自体の高い信頼性を損なわない、優れた使い易い洗濯機とすることができる。
【発明を実施するための最良の形態】
【０００９】
第１の発明は、前面に扉を有する洗濯槽と、前記洗濯槽の内部に設けられた回転槽と、照明ランプとを備え、前記照明ランプは、発光ダイオードが内設された透明な内容器と、前記内容器を内設する透明な外容器とを有するとともに、前記回転槽の奥底部を照らすように前記扉の下方周辺の前記洗濯槽の前面壁に配設された洗濯機とすることにより、扉の下方周辺から回転槽奥底部までの距離が短いため、光量が少ない発光ダイオード製の照明ランプであっても、扉を開いた時に回転槽奥底部が見易く、衣類取り出し忘れが防止でき、また、外容器が万一損傷しても、発光ダイオードは内容器に収納、保護されているので洗濯水が達せず、発光ダイオード自体の高い信頼性を損なわない、優れた使い易い洗濯機を実現することができる。
【００１０】
第２の発明は、上記第１の発明において、照明ランプは、発光ダイオードと電気的に接続されるとともに機械的に固定されたリード線と、可撓性を有しかつ電気絶縁性能を有する材料で構成された内容器の開口部に嵌着される蓋とを有し、前記蓋には、前記リード線が嵌設される溝又は貫通孔を設け、前記発光ダイオードは、前記リード線の外表面と前記内容器の内面とにより固定されるよう構成した洗濯機とすることにより、照明ランプは、蓋、内容器、発光ダイオード及びリード線の四つの部品のみで簡単に構成でき、リード線は、内容器の開口部をゴム等の柔軟で可撓性を有する材料で形成された蓋で密閉され、その蓋の溝又は貫通孔内に嵌設されるとともに、リード線の外表面と前記内容器の内面とにより機械的に固定されているので、水や湿気の侵入が防止される。また浴室内や雨水に曝される室外で使われる事に起因する結露がリード線を伝わってランプに到達しても、内容器の外側に留まり、発光ダイオードが収納された内容器への内部到達を防止することができる。
【００１１】
第３の発明は、上記第２の発明において、照明ランプは、発光ダイオードとリード線とを接続固定するプリント基板を有し、内容器の内部空間寸法は、開口部に近い部分を前記プリント基板の外寸法より大きく、奥部に近い部分の少なくとも一箇所を小さくなるように構成した洗濯機とすることにより、発光ダイオードとリード線との接続固定が容易となり、かつ信頼性も向上させることができる。また、プリント基板が内容器の寸法の小さい部分に当接することで、位置決め等を確実になすとともに、確実に固定することができる。
【００１２】
第４の発明は、上記第２の発明において、照明ランプは、発光ダイオードとリード線とが溶接又は半田付け等により接続固定された接続固定部を有し、蓋には、前記接続固定部の対応位置に有底穴を設け、前記接続固定部が前記有底穴に収納されるよう構成した洗濯機とすることにより、発光ダイオードとリード線との接続固定部分同士が、それぞれゴム等の絶縁材料で電気的絶縁分離されると共に、それぞれの位置を規制することができる。
【００１３】
第５の発明は、前面に開閉自在に扉を有する洗濯槽と、前記洗濯槽の内部に回転自在に保持された回転槽と、発光ダイオードが透明容器に絶縁収納された照明ランプとを備え、前記洗濯槽は、前記扉の下方周辺の前面壁部の少なくとも一部分を透明樹脂材で構成し、前記照明ランプは、前記透明樹脂材に対向して配置されるよう構成した洗濯機とすることにより、扉の下方周辺から回転槽奥底部までの距離が短いため、光量が少ない発光ダイオード製の照明ランプであっても、扉を開いた時に回転槽奥底部が見易く、衣類取り出し忘れが防止でき、また、外容器が万一損傷しても、発光ダイオードは内容器に収納、保護されているので洗濯水が達せず、発光ダイオード自体の高い信頼性を損なわない、優れた使い易い洗濯機を実現することができ、また、前面壁部の少なくとも一部分を透明樹脂材で構成しているので、生産工程の多様性に対応できる。
【００１４】
第６の発明は、上記第５の発明において、照明ランプは、発光ダイオードと電気的に接続されるとともに機械的に固定されたリード線と、可撓性を有しかつ電気絶縁性能を有する材料で構成され透明容器の開口部を塞ぐ蓋とを有し、前記蓋には、前記リード線が嵌設される溝又は貫通孔を設け、前記発光ダイオードは、前記リード線をの外表面と前記透明容器の内面とにより固定されるよう構成した洗濯機とすることにより、発光ダイオードの位置を規制することができるとともに、絶縁性能を確保することができる。
【００１５】
以下、本発明の実施の形態について、図面を参照しながら説明する。なお、従来例と同じ構成のものは同一符号を付して説明を省略する。また、この実施の形態によって本発明が限定されるものではない。
【００１６】
（実施の形態１）
図１は、本発明の実施の形態１における洗濯機の側断面図、図２は、同洗濯機の照明ランプの分解斜視図、図３は、同洗濯機の照明ランプの断面図である。
【００１７】
図１において、洗濯機本体１内部には、洗濯槽２が斜めに傾けられた状態で懸垂防振支持（図示せず）されている。洗濯槽２内部には回転槽３が設けられ、モータ４により洗濯槽２内部に回動自在に支持される。回転自在に設けられた回転槽３の前面側には、洗濯物を内部に投入するための回転槽前面開口３ａを設けている。また、洗濯槽２の前面側に設けられた洗濯槽前面開口２ａは、ベローズ状の防振ゴム５を介して本体１の前面傾斜面１ａに設けられた本体前面開口６に連結され、この本体前面開口６は扉７により開閉自在に閉じられる。この扉７を開くことにより、回転槽３に対して、本体前面開口６、洗濯槽前面開口２ａおよび回転槽前面開口３ａを介して、洗濯物を出し入れすることができる。
【００１８】
本体前面開口６および洗濯槽前面開口２ａの中心位置は、略同一線上に設けられており、かつ、回転槽前面開口３ａの中心位置（回転槽３の回転軸心）より上方向に偏心して設けられている。扉７の直径は洗濯機本体１の設置場所の制約などから最適の寸法があり、回転槽３の開口径より小さくしている。また、扉７の直径に対応して本体前面開口６および洗濯槽前面開口２ａの直径も設定されるので、やはり回転槽３の回転槽前面開口３ａの直径より小さくしている。上述のように本体前面開口６、扉７および洗濯槽前面開口２ａをその中心位置が回転槽前面開口３ａの中心位置から上方向に偏った位置に設けると、扉７を開いて本体前面開口６を通して回転槽３の内部を覗いたとき、死角となる部分が少なくなり、回転槽３内に収容した洗濯物が広範囲にわたって見えるので、洗濯物の取り出し忘れなどが生じ難くなる。特に、本実施形態に係る洗濯機のように、回転槽３を傾斜配置し、回転槽３の傾斜角度に対応させた前面傾斜面１ａに扉７を設けた構成においては、より広範囲に回転槽３の内部を見ることができる。
【００１９】
回転槽前面開口３ａの径より洗濯槽前面開口２ａの開口径が小さく、回転槽前面開口３ａの中心位置から洗濯槽前面開口２ａの中心位置が一方に偏っていると、図示するように、洗濯槽２の洗濯槽前面開口２ａの下方側の洗濯槽前面壁２ｂの一部が、回転槽前面開口３ａを介して回転槽３の内方に対して露出している。この回転槽３の内方側に対して露出した洗濯槽前面壁２ｂには、照明ランプ８が回転槽３の奥底部を照らすように取付けられている。
【００２０】
照明ランプ８は、図２に示すように、透明樹脂製の外容器１１、同じく透明樹脂製の内容器１２、２個の発光ダイオード１３、プリント基板１４、２本のリード線１５およびゴム製の蓋１６で構成されている。
【００２１】
外容器１１の外形は、長円形状をしており、閉塞した奥部である外容器奥部１１ａと開口した外容器開口部１１ｂを有している。なお、図２では、本体１の前面傾斜面１ａ側を下側に、回転槽３の内方側を上側に描いている。外容器１１の外容器奥部１１ａ付近には、１対の外容器固定用フランジ１１ｃが設けられており、この外容器固定用フランジ１１ｃの両端付近には、洗濯槽前面壁２ｂに取り付けるための貫通する取付け用孔１１ｄが設けられており、外容器開口部１１ｂには、内容器１２を固定するための内容器固定用小穴１１ｅを設けている。
【００２２】
内容器１２は、閉塞した奥部である内容器奥部１２ａと開口した内容器開口部１２ｂを有する奥部半球の円筒形状であり、円筒形状の直径は、内容器奥部１２ａ付近が小さく、内容器開口部１２ｂ付近が大きい同心円筒である。内容器開口部１２ｂ付近には、円筒側面に一対の角孔１２ｃと、円筒側面に対し斜め方向に延設した内容器フランジ１２ｄを有し、この内容器フランジ１２ｄ先端付近には貫通する丸孔１２ｅが設けられている。
【００２３】
プリント基板１４は、内容器１２の円筒内面に対応するように円形状をなしており、その外周部には、相対するように一対の半円形の切り欠き１４ａを設けている。プリント基板１４の直径は、前記内容器１２の内容器開口部１２ｂ付近の内径より小さく、内容器奥部１２ａ付近の内径より大きい寸法としている。また、プリント基板１４上には、２個の発光ダイオード１３の端子と被覆電線である２本のリード線１５の被覆を取り除いた先端部とが挿入される取付穴１２ｃが設けられており、発光ダイオード１３の端子と２本のリード線１５の先端部が、電気的に直列接続するようにプリント基板１４の下面に銅箔パターンが設けられている。また、２個の発光ダイオード１３と２本のリード線１５は、銅箔パターン上に半田付けされることにより、プリント基板１４上に機械的に固定されている。また、リード線１５の被覆部分は、プリント基板１４の上面側から湾曲し、一対の円形の切り欠き１４ａを通り、銅箔パターンのある下面側に達する。
【００２４】
内容器１２の内容器開口部１２ｂに嵌着される蓋１６は、内部に半円形溝１６ｃをそれぞれ有することで略Ｃ字状の断面となる半円筒管１６ａ、１６ｂをなし、それぞれの一辺を連結させた状態で２つ並べた形状である。半円筒管１６ａ、１６ｂを組み合わせた場合における蓋１６の外側直径は、内容器開口部１２ｂに嵌着されるように内容器開口部１２ｂ付近の内径より若干大きい寸法としている。また、半円筒管１６ａ、１６ｂを組み合わせた場合において、それぞれの半円管１６ａ、１６ｂ内側の半円形溝１６ｃを合わせた寸法はリード線１５の２本分より小さい寸法としている。また、内容器開口部１２ｂに対応する側壁には、角孔１２ａと係合するように、内容器奥部１２ａ側から内容器開口部１２ｂ側にかけて突出寸法が大きくなる角型傾斜突起１６ｂを設けている。
【００２５】
図３は、照明ランプ８が取り付けられた状態での縦断面図である。
【００２６】
図３において、洗濯槽前面壁２ｂに開けられた洗濯槽前面壁照明ランプ用開口２ｃに、断面がＬ字形状で円筒形状のゴムパッキン１７が側面周囲および外容器固定用フランジ１１ｃの一部を圧接するように外容器１１が、取付け用孔１１ｄに対応する位置で、洗濯槽前面壁２ｂの外側に設けられた２本の円筒ボス２ｄに取付け用孔１１ｄを介して、洗濯槽２の外面側より２本のビス１８で固定されている。なお、図３の上側が洗濯槽２の内方側である。また、外容器１１の外容器開口部１１ｂ設けられた内容器固定用小穴１１ｅには、内容器の貫通する丸孔１２ｅを介して、ビス１９が螺設され、内容器１２が外容器１１に固定されている。
【００２７】
前述の如く、フランジ１２ｄは内容器１２の円筒側面に対し外方に傾斜して形成されるので、内容器１２は外容器１１に対して傾斜状態で固定されている。内容器１２には２個の発光ダイオード１３とリード線１５が取付けされたプリント基板１４が内容器開口部１２ｂ側から挿入され、それに続き蓋１６が圧入される。このとき、角型傾斜突起１６ｂが角孔１２ａに係合する。この時、内容器１２の内部空間寸法は、プリント基板１４に固定された発光ダイオード１３が内容器１２に接触しない寸法とする。
【００２８】
図３に示す様に、蓋１６の外側直径と内容器１２の内径の関係により、蓋１６が内容器１２の内容器開口部１２ｂを塞ぐ位置に圧入されると、ゴム製の蓋１６は内容器の内壁に密着する。同様に、半円管１６ａ、１６ｂ内側の半円形溝１６ｃを合わせた寸法はリード線１５の２本分より小さい寸法としているので、リード線１５の被覆部分の外面も蓋１６の半円形溝１６ｃの内面と密着する。この状態において、蓋１６の上端にはリード線１５の湾曲部分が接触し、これによってプリント基板１４の下面を内容器奥部１２ａ方向に圧迫する。
【００２９】
また、プリント基板１４の直径と内容器１２の内径との寸法関係により、プリント基板１４は、内容器奥部１２ａ付近の内径変化部分１２ｆに突き当たり、所定の位置に固定される。
【００３０】
照明ランプ８は、以上のように構成されているので、プリント基板１４に固定された発光ダイオード１３が、透明樹脂製の外容器１１及び透明樹脂製の内容器１２を介して、洗濯槽２の内部を臨む位置にあるので、リード線１５を適当な直流電源に接続すれば、発光ダイオード１３の光は洗濯槽２内部を照らすことができる。
【００３１】
以上のような構成において、洗濯機が洗濯を開始すると、給水手段（図示せず）により、洗濯槽２および回転槽３内に給水される。この給水により洗濯槽２内の水位が所定の水位に達すると、給水を終了し、モータ４が駆動され、洗濯槽２が所定の回転速度で所定時間、所定のシーケンスで回転して、洗濯槽２内の洗濯物を洗濯を実行する。その後、すすぎ、脱水を実行し、一連の洗濯行程を終了する。また、乾燥機能を有する洗濯機においては、乾燥行程まで実行して、終了するようにしてもよい。
【００３２】
洗濯行程、あるいは、乾燥行程の終了後、使用者は扉７を開き、回転槽３内の洗濯物を取り出す。その際、扉７が開かれるとともに、照明ランプ８が点灯し、その照明ランプ８によって、回転槽３の奥底部が照らされるようにしている。これによって、使用者は、回転槽３の奥底部までよく見ることができるので、洗濯物の取り出し忘れをできるだけ少なくすることができる。
【００３３】
なお、照明ランプ８は、回転槽３の奥底部を照らすようにしているが、奥底部だけでなく、回転槽３の手前底部から奥底部までの底部全体を照らすようにしても、同様の効果を得ることができる。
【００３４】
上記のように、洗濯時においては、洗濯槽２の内部は、水や洗剤や洗濯物に、また乾燥時においては、熱蒸気に曝されるが、照明ランプ８は、外容器１１とゴムパッキン１７によりシールされて洗濯槽前面壁２ｂの洗濯槽前面壁照明ランプ用開口２ｃ部分に取り付けられているので、洗濯槽２内の水分や湿気が外部に漏れるのを遮断することができる。
【００３５】
更に、万一、外容器１１が損傷したとしても、発光ダイオード１３が内容器１２の内部に収納されている２重保護構成であり、また、ゴム製の蓋１６が、リード線１５外面および内容器１２の内壁に密着しているので、外容器１１の破損部分より水分や湿気が外容器１１内に侵入しても、その水分や湿気が発光ダイオード１３に達することはない。さらに、乾燥行程時などにおいて、温度変化に伴う結露水等がリード線１５上に発生したとしても、その結露水がリード線１５を伝って内容器１２内の発光ダイオード１３側へ侵入することはない。
【００３６】
なお、本実施の形態においては、蓋１６は、略Ｃ字状の断面となる半円筒管１６ａ、１６ｂをなし、それぞれの一辺を連結させた状態で２つ並べた形状としているが、分割せずに中空の筒形状とし、リード線１５を中心の貫通孔に強制挿入させる方法や、完全に２分割する方法も技術的に容易に展開可能である。いずれにしても、蓋１６は、透明樹脂容器である内容器１２内部から外部に引き出されるリード線１５と容器開口との間の水侵入を防止する機能及び、発光ダイオードの位置を規制する機能をもたせれば良い。また、内容器１２の閉塞した奥部である内容器奥部１２ａは半球としたが、扁平形状としてもよい。半球としたものは、発光ダイオード１３の光が拡散傾向で有る場合を考慮したものであり、扁平形状の場合には、外周部分の光が弱められる可能性を配慮したものであり、本質的な差は無いものである。
【００３７】
また内容器の外方に斜めに延設したフランジ１２ｄは、指向性のある発光ダイオード１３を内包する内容器１２を外容器１１に取り付ける際、微妙な位置調整をせずに容易に作業でき、かつ、回転槽３の奥底部を的確に照らしめる為の構成であり、回転槽３の形状や大きさ等に対応して、傾斜角度を適切に設定するものである。
【００３８】
（実施の形態２）
図４は、本発明の実施の形態２における照明ランプの分解斜視図、図５は、同断面図である。なお、実施の形態１と同一の構成については、同一符号を付して説明を省略する。
【００３９】
図４および図５において、照明ランプ２０は、透明樹脂製の外容器２１、同じく透明樹脂製の内容器２２、２個の発光ダイオード２３、リード線２４およびゴム等の可撓性を有しかつ電気絶縁性能を有する材料にてなる蓋２５とで構成されている。
【００４０】
外容器２１は、有底の円筒形状をしており、閉塞した奥部である外容器奥部２１ａと開口した外容器開口部２１ｂを有している。なお、図４および図５では、本体１の前面傾斜面１ａ側を下側に、回転槽３の内方側を上側に描いている。外容器２１の外容器奥部２１ａ付近には、１対の外容器固定用フランジ２１ｃが設けられており、この１対の外容器固定用フランジ２１ｃの両端付近に洗濯槽前面壁２ｂに取り付けるための貫通する取付け用孔２１ｄが設けられており、外容器開口部２１ｂには、内容器２２を固定するための内容器固定用の角孔２１ｅを設けている。
【００４１】
内容器２２は、閉塞した奥部である内容器奥部２２ａと開口した内容器開口部２２ｂを有する奥部半球の円筒形状であり、円筒形状の直径は、内容器奥部２２ａ付近が小さく、内容器開口部２２ｂ付近が大きい同心円筒である。内容器開口部２２ｂ付近には、円筒側面に角孔２２ｃと、円筒側面に対し斜め方向に延設した内容器フランジ２２ｄを有し、この内容器フランジ２２ｄの延長線上の円筒側面には、角孔２１ｅと嵌合し固定される角形傾斜突起２２ｅを１個または複数個設けている。
【００４２】
２個の発光ダイード２３は、それぞれプラスとマイナスの各１本の端子を有し、リード線２４と直列接続される。すなわち一方の発光ダイード２３のプラス端子と他方の発光ダイード２３のマイナス端子とを半田付けし、裸端子２３ａとして下方に延設している。また、一方の発光ダイード２３のマイナス端子は一方のリード線２４の被覆を取り除いた先端部と半田付けし、裸端子２３ｂとして下方に延設し、他方の発光ダイード２３のプラス端子は他方のリード線２４の被覆を取り除いた先端部と半田付けし、裸端子２３ｃとして下方に延設している。リード線１５の被覆部分は、一旦上方に上がりその後湾曲して湾曲部２４ａを形成し再度下方に引き出されるようにしている。
【００４３】
内容器２２の内容器開口部２２ｂに嵌着されるゴム製の蓋２５は、その外形が内容器２２の内容器開口部２２ｂの内径より若干大きな径となる円筒形状である。また、内容器２２の側壁には、上面２５ａから下面２５ｂに達する凹状の溝２５ｃを設け、その溝２５ｃの断面の面積は、２本のリード線２４の断面の面積の和より若干小さい面積としている。また、下面２５ｂ近傍の側面には、内容器２２の角孔２２ｃに係合するように、上面２５ａ側から下面２５ｂ側にかけて突出寸法が大きくなる角形傾斜突起２５ｄを設けている。さらに、上面２５ａには、発光ダイード２３の裸端子２３ａ、２３ｂおよび２３ｃのそれぞれの対応位置に、３つの有底穴２５ｅ、２５ｆおよび２５ｇを設けている。
【００４４】
図５は、照明ランプ２０が取り付けられた状態での縦断面図である。
【００４５】
図５において、洗濯槽前面壁２ｂに開けられた洗濯槽前面壁照明ランプ用開口２ｃに、断面がＬ字形状で円筒形状のゴムパッキン２６が側面周囲および外容器固定用フランジ２１ｃの一部を圧接するように外容器２１が、取付け用孔１１ｄに対応する位置で、洗濯槽前面壁２ｂの外側に設けら洗濯槽２の内面側に取付穴２ｅを有する２本の円筒ボス２ｆに取付け用孔２１ｄを介して、洗濯槽２の内面側より２本のビス２７で固定されている。また、内容器２２は、洗濯槽２の外方より外容器２１の内部に収納され、外容器２１の角孔２１ｅと、内容器２２の角形傾斜突起２２ｅを嵌合させ、係止される。
【００４６】
前述の如く、フランジ２２ｄは内容器２２の円筒側面に対し外方に傾斜して延設されるとともに、角形傾斜突起２２ｅが、外容器２１の角穴２１ｅに嵌合、係止されるので、内容器２２は外容器２１に対して傾斜状態で固定保持されている。
【００４７】
蓋２５は、２個の発光ダイオード２３の裸端子２３ａ、２３ｂおよび１３ｃが、それぞれ対応する有底穴２５ｅ、２５ｆおよび２５ｇに挿入され、リード線２４が内容器２２の側壁の凹状の溝２５ｃにはめ込まれた状態で内容器開口部２２ｂに圧入される。そして、角形傾斜突起２５ｄが角孔２２ｃに係合する。このとき、リード線２４の湾曲部２４ａは、内容器２２の内容器奥部２２ａ付近の内径変化部分２２ｆに当接し、変形を受けた状態で、リード線２４が固定される。このように、リード線２４が固定されるとともに、蓋２５の有底穴２５ｅ、２５ｆおよび２５ｇによる裸端子２３ａ、２３ｂおよび２３ｃの位置規制により、発光ダイオード２３も位置が規制される。
【００４８】
リード線１５の被覆部分は、一部分が内容器２２の内壁面に接するものの、蓋２５の凹状の溝２５ｃに密着収納されているので、リード線１５を経由した水の侵入を防止することができる。また、発光ダイオード２３の裸端子２３ａ、２３ｂおよび２３ｃは、電気絶縁性能を有するゴム製の蓋２５の有底穴２５ｅ、２５ｆおよび２５ｇにそれぞれ個別に挿入されているので、それぞれの端子は相互に電気的に分離絶縁されている。
【００４９】
なお、実施の形態１および２共に、発光ダイオード１３、２３は、２個採用し、内容器１２は外容器１１に対して傾斜して固定したが、発光ダイオード１３、２３を１個に減らしたり、内容器フランジ１２ｄ、２２ｄを内容器２２の円筒側面に対し傾斜させずに略主直方向に形成して水平固定しても同等の効果を得ることができる。また、内容器１２、２２は２種類の内径を有する同心円筒としたが、これは内径変化部分１２ｆ、２２ｆと蓋１６とで、プリント基板１４やリード線１５、２４を挟んで位置規制するとともに固定する為のものであり、従って、この作用を持つ他の方法、例えば、均一内径の円筒内部に一本または複数本のリブを設け、このリブと蓋とでプリント基板１４やリード線１５、２４を挟む方法等に置き換えることは可能である。
【００５０】
また、内容器１２、２２と外容器１１、２１の相互の位置規制および固定方法として実施の形態１ではビス止め方法を、実施の形態２では角孔と角形傾斜突起との嵌合を用いたが、内外容器間に適当な形状のゴムパッキンを入れ保持する方法、またウレタン樹脂やシリコン樹脂等を注入して保持する方法等も可能である。このような構成によれば、万一、外容器１１、２１が損傷したとしても、洗濯槽２から発光ダイオード１３、２３への水の侵入を防止することができる。
【００５１】
また、本発明の実施形態１および２では、照明ランプ８、２０として内外容器を一体として設けているが、外容器１１、２１を洗濯槽前面壁２ｂの一部分とし、この洗濯槽前面壁２ｂの透明部分に対向して内容器１２、２２による絶縁が施された照明ランプを設けることもできる。
【００５２】
これは、当該洗濯機の生産工程において、予め前以って外容器１１、２１を洗濯槽２の内部から組み付け、その後発光ダイオード等を組み込んだ内容器１２、２２を洗濯槽２の外方から装着することが可能になる等の生産工程の多様性に対応できるものである。
【産業上の利用可能性】
【００５３】
以上のように、本発明にかかる洗濯機は、２重の防水機構を備えるとともに、導通用リード線の保持により該部分からの水分や湿気の侵入防止が確実となり、回転槽最下底部の近くに比較的光量が小さく、信頼性の高い発光ダイオードによる照明ランプを配置することが簡明かつ確実に可能となるので、衣類の取り出し忘れが防止され、乾燥機能を有した洗濯機等としても有用である。
【図面の簡単な説明】
【００５４】
【図１】本発明の実施の形態１の洗濯機の側断面図
【図２】同洗濯機の照明ランプの分解斜視図
【図３】同洗濯機の照明ランプ付近の部分断面図
【図４】本発明の実施の形態２の洗濯機の照明ランプの分解斜視図
【図５】同洗濯機の照明ランプ付近の部分断面図
【符号の説明】
【００５５】
２    洗濯槽
２ｂ  洗濯槽前面壁
３    回転槽
７    扉
８    照明ランプ
１１  外容器
１２  内容器
１３  発光ダイオード
１４  プリント基板
１５  リード線
１６  蓋
【図１】
2006314502.tif 000003
【図２】
2006314502.tif 000004
【図３】
2006314502.tif 000005
【図４】
2006314502.tif 000006
【図５】
2006314502.tif 000007